(57)【要約】      （修正有）【課題】生体組織をクリップで確実に把持できる生体組織のクリップ装置を提供する。【解決手段】クリップ２と、このクリップ２に嵌着して装着することにより該クリップ２を閉成する締付部材と、この締付部材内に挿入可能で、前記クリップ２を所定の力量で前記締付部材内に引くために、前記クリップ２と連結する連結部とこの連結部に所定の力量以上の力量がかかったときに破断する破断部４ａを有する連結部材４と、この連結部材４に接続した操作部材と、この操作部材を進退自在に挿通する導入管５と、前記締付部材３に設けられ、前記操作部材によって前記連結部材４を介して前記クリップ２を前記締付部材３内に引き込むとき、前記導入管５の先端と当接する係合部材としての係合ウイング１１と、前記導入管５の周面と係合して前記係合ウイング１１が径方向に変形するのを阻止する係合部１４とを具備する。【選択図】図２
2008023257.tif 000002
【特許請求の範囲】
【請求項１】
クリップと、
このクリップに嵌着して装着することにより該クリップを閉成する締付部材と、
この締付部材内に挿入可能で、前記クリップを所定の力量で前記締付部材内に引くために、前記クリップと連結する連結部とこの連結部に所定の力量以上の力量がかかったときに破断する破断部を有する連結部材と、
この連結部材に接続した操作部材と、
この操作部材を進退自在に挿通する導入管と、
前記締付部材に設けられ、前記操作部材によって前記連結部材を介して前記クリップを前記締付部材内に引き込むとき、前記導入管の先端と当接する係合部材と、
この係合部材に設けられ、前記操作部材によって前記連結部材を介して前記クリップを前記締付部材内に引き込むとき、前記導入管の周面と係合して前記係合部材が径方向に変形するのを阻止する係合部と、
を具備することを特徴とする生体組織のクリップ装置。
【請求項２】
前記係合部は、前記導入管に向って先細のテーパ部であることを特徴とする請求項１記載の生体組織のクリップ装置。
【請求項３】
クリップと、
このクリップに嵌着して装着することにより該クリップを閉成する締付部材と、
この締付部材内に挿入可能で、前記クリップを所定の力量で前記締付部材内に引くために、前記クリップと連結する連結部とこの連結部に所定の力量以上の力量がかかったときに破断する破断部を有する連結部材と、
この連結部材に接続した操作部材と、
この操作部材を進退自在に挿通する導入管と、
前記締付部材に設けられ、前記操作部材によって前記連結部材を介して前記クリップを前記締付部材内に引き込んだとき、該締付部材が前記導入管内に収納されるのを阻止する係合部材とからなり、
前記締付部材の軸方向の長さを、前記操作部材によって前記連結部材を前記締付部材内に引き込み、前記クリップが生体組織を把持完了するまで、前記係合部材が、前記連結部材の破断部より先端側と合致しない長さにしたことを特徴とする生体組織のクリップ装置。
【請求項４】
クリップと、
このクリップに嵌着して装着することにより該クリップを閉成する締付部材と、
この締付部材内に周方向に回転が規制された状態で挿入可能で、前記クリップを所定の力量で前記締付部材内に引くために、前記クリップと連結する連結部とこの連結部に所定の力量以上の力量がかかったときに破断する破断部を有する連結部材と、
この連結部材に接続した操作部材と、
この操作部材を進退自在に挿通する導入管と、
前記締付部材に設けられ、前記操作部材によって前記連結部材を介して前記クリップを前記締付部材内に引き込んだとき、該締付部材が前記導入管内に収納されるのを阻止する係合部材とからなり、
前記連結部材の破断部より先端側の変形方向と前記締付部材の係合部材の変形方向が重ならないように周方向にずらしたことを特徴とする生体組織のクリップ装置。
【発明の詳細な説明】
【技術分野】
【０００１】
本発明は、例えば経内視鏡的に体腔内に挿入し、生体組織をクリップによって結紮する生体組織のクリップ装置に関する。
【背景技術】
【０００２】
体腔内に挿入した内視鏡の鉗子チャンネルを介してクリップ装置を体腔内に挿入し、クリップ装置の先端部に設けたクリップをクリップ装置の手元操作部で操作することにより、生体組織をクリップで結紮する生体組織のクリップ装置が知られている（例えば、特許文献１及び２参照。）。
特許文献１及び２の生体組織のクリップ装置の基本的構成は、図５〜図８に示すように構成されている。すなわち、１はクリップユニットを示し、生体組織を把持する一対のアーム２ａ，２ａを有するクリップ２が設けられている。クリップ２の一対のアーム２ａ、２ａは、基端部のループ部２ｂ側が狭幅部２ｃに、先端側が広幅部２ｄの形成されている。このクリップ２にはクリップ２のアーム２ａ、２ａを閉成する管状の締付部材３が設けられている。この締付部材３内にはクリップ２と係合する連結部を有する連結部材４が挿入されている。また、クリップ２と締付部材３とを収納可能な導入管５は内視鏡の鉗子チャンネル（図示しない）に挿通可能であり、この導入管５内には操作ワイヤ等の操作部材６が進退自在に挿通されている。
【０００３】
また、締付部材３は、例えば、ＰＰＡ（ポリフタルアミド）、ＰＡ（ポリアミド）等の適度な弾性を持つ高剛性の樹脂を射出成形することにより製作されている。この締付部材３には、クリップ２及び締付部材３を導入管５の前方に突出した際に、導入管５の前端部５ａに係合して締付部材３が導入管５内に再度収納されるのを阻止する係合部材としての係合ウイング７が設けられている。すなわち、係合ウイング７は、締付部材３の外周部に対称的に一対設けられ、締付部材３の径方向に突没自在である。また、係合ウイング７は、クリップ２及び締付部材３が導入管５の前方に突出した際には導入管５の内径より外側に突出して導入管５の前端部５ａに係合する。したがって、操作部材６によって締付部材３を導入管５内に引き込む引張り力が締付部材３に作用しても、係合ウイング７が導入管５の前端部５ａに係合して締付部材３が導入管５内に再度収納されないようになっている。
【０００４】
前記連結部材４は、例えば、液晶ポリマーやナイロンなどの高強度な樹脂材料を射出成形することにより製作され、連結部は円柱棒状で、その先端部には側面部から軸方向と直角方向に切り込みによって破断部４ａが設けられている。すなわち、後述する手段によってクリップ２を所定の力量で締付部材３内に引き込むために、連結部材４の連結部に所定の力量以上の力量がかかったときに破断する破断部４ａが設けられている。
【０００５】
この破断部４ａにはクリップ２のループ部２ｂが引っ掛けられてクリップ２が連結部材４に連結されている。連結部材４の基端部には二股状に分岐され、分岐部に切欠部４ｂを有する矢尻フック係合部４ｃが形成されている。さらに、連結部材４の中間部の軸部の相反する面には軸方向に亘って平面部４ｄが形成された非円形軸部４ｅが形成され、この非円形軸部４ｅは前記締付部材３の非円形孔部３ａと嵌合されている。したがって、締付部材３に対して連結部材４が周方向に回転しないように回り止めされた状態に嵌合されている。また、前記操作部材６の先端部には連結部材４の矢尻フック係合部４ｃに係合する矢尻フック８が設けられている。
【０００６】
さらに、締付部材３に設けられた係合ウイング７と連結部材４の破断部４ａの位置関係について説明すると、図６（ａ）（ｂ）に示すように、係合ウイング７の変形方向（矢印ａ方向）と破断部４ａより先端側４ｃの変形方向（矢印ｂ方向）とが一致している。しかも、締付部材３に対して連結部材４が周方向に回転しないように回り止めされた状態に嵌合されている。なお、図５において、９は手元操作部である。
【特許文献１】特開２００２−１９１６０９号公報
【特許文献２】特開２００４−１２１４８５号公報
【発明の開示】
【発明が解決しようとする課題】
【０００７】
ところで、図５〜図７に示すように構成された従来のクリップユニット１は、体腔内の生体組織をクリップ２によって把持する過程で、次のような問題がある。
図７（ａ）〜（ｄ）はクリップユニット１の生体組織を把持する過程を示すもので、図７（ａ）に示すように、クリップ２のループ部２ｂを連結部材４の連結部に設けられた破断部４ａに係止し、クリップ２のアーム２ａが最大開成状態に保持されている状態において、操作部材６によって連結部材４を手元側に引っ張ると、同図（ｂ）に示すように、クリップ２のループ部２ｂが締付部材３の内部に引き込まれるため、クリップ２のアーム２ａ，２ａが閉成し、生体組織をクリップ２のアーム２ａ，２ａ間に挟み込んだ状態となる。
この状態から、さらに操作部材６によって連結部材４を手元側に引っ張ると、通常はクリップ２が生体組織を把持完了した後に、連結部材４が破断部４ａから破断し、クリップ２と締付部材３を含む連結部材４と操作部材６とが切り離され、クリップ２と締付部材３を含む連結部材４が体腔内の生体組織を把持した状態に留置されることになる。
しかしながら、連結部材４には、その軸部の側方から切込みによって破断部４ａが設けられており、この破断部４ａより先端側４ｃの変形方向（破断部４ａの切り込み方向）と締付部材３の係合ウイング７の変形方向が同方向にある。しかも、締付部材３に対して連結部材４が回り止めされた状態に嵌合されている。
【０００８】
したがって、同図（ｃ）に示すように、操作部材６によって連結部材４を手元側に引っ張るとき、クリップ２を対象部位に強く押え付ける等、クリップ２に組織を過剰に挟んだ状態で引っ張ると、クリップ２が締付部材３に十分に引き込まれる、すなわち、クリップ２が十分に閉じる前に、連結部材４は、その破断部４ａの連結点４ｂ’を支点として連結部材４の先端側４ｃが矢印ｂ方向に移動し、破断部４ａが変形して締付部材３の係合ウイング７をその内面側から外方側に押圧する。このとき、係合ウイング７は締付部材３の径方向へ弾性変形できるように形成されているため、同図（ｄ）に示すように、連結部材４の破断部４ａより先端側４ｃがさらに矢印ｂ方向に傾いて破断部４ａから破断してしまい、生体組織を十分に挟み込むことができなくなる場合があり、これを防ぐために使用者には熟練が要していた。
前述したものは、連結部材４の軸部の側方から切込みにより先端側４ｃの変形方向（破断部４ａの切り込み方向）と締付部材３の係合ウイング７の変形方向が同方向にある場合であるが、例えば、図８に示すように、変形方向を４５°ずらしても同様の課題が生じていた。
本発明は、前記事情に着目してなされたもので、その目的とするところは、クリップのアームによって生体組織を確実に把持した後に、連結部材が破断部で破断され、生体組織をクリップで確実に把持できる生体組織のクリップ装置を提供することにある。
【課題を解決するための手段】
【０００９】
この発明は、前記目的を達成するために、請求項１は、クリップと、このクリップに嵌着して装着することにより該クリップを閉成する締付部材と、この締付部材内に挿入可能で、前記クリップを所定の力量で前記締付部材内に引くために、前記クリップと連結する連結部とこの連結部に所定の力量以上の力量がかかったときに破断する破断部を有する連結部材と、この連結部材に接続した操作部材と、この操作部材を進退自在に挿通する導入管と、前記締付部材に設けられ、前記操作部材によって前記連結部材を介して前記クリップを前記締付部材内に引き込むとき、前記導入管の先端と当接する係合部材と、この係合部材に設けられ、前記操作部材によって前記連結部材を介して前記クリップを前記締付部材内に引き込むとき、前記導入管の周面と係合して前記係合部材が径方向に変形するのを阻止する係合部とを具備することを特徴とする生体組織のクリップ装置にある。
【００１０】
請求項２は、請求項１の前記係合部は、前記導入管に向って先細のテーパ部であることを特徴とする。
【００１１】
請求項３は、クリップと、このクリップに嵌着して装着することにより該クリップを閉成する締付部材と、この締付部材内に挿入可能で、前記クリップを所定の力量で前記締付部材内に引くために、前記クリップと連結する連結部とこの連結部に所定の力量以上の力量がかかったときに破断する破断部を有する連結部材と、この連結部材に接続した操作部材と、この操作部材を進退自在に挿通する導入管と、前記締付部材に設けられ、前記操作部材によって前記連結部材を介して前記クリップを前記締付部材内に引き込んだとき、該締付部材が前記導入管内に収納されるのを阻止する係合部材とからなり、前記締付部材の軸方向の長さを、前記操作部材によって前記連結部材を前記締付部材内に引き込み、前記クリップが生体組織を把持完了するまで、前記係合部材が、前記連結部材の破断部より先端側と合致しない長さにしたことを特徴とする生体組織のクリップ装置にある。
【００１２】
請求項４は、クリップと、このクリップに嵌着して装着することにより該クリップを閉成する締付部材と、この締付部材内に周方向に回転が規制された状態で挿入可能で、前記クリップを所定の力量で前記締付部材内に引くために、前記クリップと連結する連結部とこの連結部に所定の力量以上の力量がかかったときに破断する破断部を有する連結部材と、この連結部材に接続した操作部材と、この操作部材を進退自在に挿通する導入管と、前記締付部材に設けられ、前記操作部材によって前記連結部材を介して前記クリップを前記締付部材内に引き込んだとき、該締付部材が前記導入管内に収納されるのを阻止する係合部材とからなり、前記連結部材の破断部より先端側の変形方向と前記締付部材の係合部材の変形方向が重ならないように周方向にずらしたことを特徴とする生体組織のクリップ装置にある。
【発明の効果】
【００１３】
本発明によれば、クリップのアームによって生体組織を確実に把持した後に、連結部材が破断部で破断され、生体組織をクリップで確実に把持できるという効果がある。
【発明を実施するための最良の形態】
【００１４】
以下、本発明の各実施の形態を図面に基づいて説明する。
【００１５】
図１及び図２は生体組織のクリップ装置の第１の実施形態を示し、従来と同一構成部分は同一番号を付して説明を省略する。図１はクリップユニット１の縦断側面図、図２（ａ）〜（ｄ）はクリップユニット１が生体組織を把持する過程を示す縦断側面図である。
【００１６】
本実施形態のクリップユニット１は、クリップ２、締付部材３及び連結部材４とから構成され、締付部材３に係合部材としての係合ウイング１１が設けられている点においても従来と同じであるが、本実施形態の係合ウイング１１は、図１に示すように構成されている。すなわち、例えば、ＰＰＡ（ポリフタルアミド）、ＰＡ（ポリアミド）等の適度な弾性を持つ高剛性の樹脂を射出成形することにより形成された締付部材３は、管状であり、その外周部には径方向に弾性変形して突没自在な一対の係合ウイング１１が対称的に設けられている。
【００１７】
これら係合ウイング１１の外面は締付部材３の前端部から後端部に向かって漸次上り勾配の傾斜面１２に形成されている。さらに係合ウイング１１の後端部には段差部１３を介して後端側に向って突出する係合部１４が設けられている。係合ウイング１１の後端部の段差部１３は、後述する手段によって連結部材４が導入管５に引き込まれたとき、導入管５の前端部５ａに当接し、係合部１４は、導入管５に挿入されて前端部５ａの内面に嵌合した状態に係合することが特徴である。なお、係合部１４は、導入管５に挿入されて前端部５ａの外面に係合するようにしてもよい。
【００１８】
さらに、係合ウイング１１の係合部１４の外面は、段差部１３から先端部に向って漸次下り勾配のテーパ部に形成されている。そして、一対の係合部１４の最も大きい外径Ｄ１は導入管５の内径Ｄ２と同じか、もしくは狭く形成されていて、係合部１４が導入管５に嵌合されたとき、導入管５に食い込むことなく、導入管５に対して締付部材３が回転自在に嵌合している。さらに、係合ウイング１１にその内方から外方へ押圧力が加わっても、係合ウイング１１の係合部１４が導入管５の前端部５ａの内面に当接して拡開しないようになっている。
【００１９】
このように係合ウイング１１に係合部１４を設けると、次のような利点がある。
【００２０】
（ａ）係合ウイング１１の係合部１４が導入管５の前端部５ａの内面に嵌合したとき、テーパ部によって導入管５の内面との間に隙間ができ、係合ウイング１１の係合部１４が導入管５に食い付くのを防止できる。
（ｂ）クリップユニット１を体腔内の生体組織にアプローチする際に、手元操作部を操作して操作部材６を導入管５の内部で回転させ、クリップユニット１を目的の部位に位置決めするが、操作部材６の回転力を連結部材４を介して締付部材３に円滑に伝達させてクリップユニット１を目的の部位に容易に位置決めできる。
【００２１】
（ｃ）手元操作部を操作して操作部材６を引き込んだとき、係合ウイング１１の係合部１４に傾斜面１５がガイドとなって締付部材３が導入管５に引き込められ、導入管５の前端部５ａにクリップユニット１を簡単に位置決めできる。
【００２２】
次に、本実施形態のクリップユニット１が体腔内の生体組織を把持する作用を説明する。図２（ａ）に示すように、クリップ２のループ部２ｂを連結部材４の破断部４ａに係止し、クリップ２のアーム２ａが最大開成状態に保持されている状態において、操作部材６によって連結部材４を手元側に引っ張ると、同図（ｂ）に示すように、係合ウイング１１の後端部の段差部１３は導入管５の前端部５ａに当接し、係合部１４は、導入管５に挿入されて前端部５ａの内面に嵌合した状態に係合する。
このとき、クリップ２のループ部２ｂが締付部材３の内部に引き込まれるため、クリップ２のアーム２ａ，２ａが閉成し、生体組織をクリップ２のアーム２ａ，２ａ間に挟み込んだ状態となる。
この状態から、さらに操作部材６によって連結部材４を手元側に引っ張ると、同図（ｃ）に示すように、連結部材４は、その破断部４ａの連結点４ｂ’を支点として連結部材４の先端側４ｃが矢印ｂ方向に移動して傾き、締付部材３の係合ウイング１１をその内面側から外方側に押圧する。しかし、係合ウイング１１の係合部１４が導入管５の前端部５ａの内面に係合しているため、係合ウイング１１の拡開を係合部１４によって阻止する。したがって、連結部材４の破断部４ａが変形することなく、ここに応力が集中することはない。故に、連結部材４の破断部４ａは締付部材３の係合ウイング１１の係合部１４が設けられている箇所を通過して締付部材３の後端部まで引き込まれる。
そして、同図（ｄ）に示すように、クリップ２のアーム２ａ，２ａの広幅部２ｄが締付部材３に内部に引き込まれて生体組織を十分に挟み込んだ状態になったときに連結部材４の破断部４ａが破断され、クリップ２と締付部材３を含む連結部材４と操作部材６とが切り離される。
なお、クリップ２によって生体組織を把持する際の破断力量が４０Ｎであると仮定すると、操作部材６によって連結部材４を引っ張り、その力量が４０Ｎに達する前に、破断部４ａが破断されることはなく、クリップ２が生体組織を確実に把持した上で、クリップ２が締付部材３の内部の所定の位置まで引き込まれたときに破断部４ａが破断される。
【００２３】
連結部材４の破断部４ａが破断されると、クリップユニット１と操作部材６との結合が解除され、クリップユニット１は生体組織を把持したまま体腔内に留置される。例えば、体腔内の出血部位の生体組織をクリップ２のアーム２ａ，２ａ間で挟み込んで圧迫し、その状態のままクリップユニット１を留置することによって、出血部位の血管を圧迫し出血を止めることができる。
【００２４】
図３は第２の実施形態を示し、クリップユニット１の縦断側面図であり、従来及び第１の実施形態と同一構成部分は同一番号を付して説明を省略する。
第１の実施形態に示すように、クリップ２は、アーム２ａ，２ａの広幅部２ｄが締付部材３に内部に引き込まれたとき、生体組織を十分に挟み込んだ状態になり、この時点で連結部材４の破断部４ａが破断される。つまり、アーム２ａ，２ａの広幅部２ｄが締付部材３に内部に引き込まれる前に連結部材４の破断部４ａが破断されないように係合ウイング１１の拡開を係合部１４によって阻止して連結部材４の破断部４ａに応力が集中しないようにした。
【００２５】
本実施形態の締付部材３の本体部１６の軸方向の長さを長くし、アーム２ａ，２ａの広幅部２ｄが締付部材３に内部に引き込まれる前に連結部材４の破断部４ａに応力が集中して破断されないようにしたものである。
【００２６】
すなわち、クリップ２の一対のアーム２ａ，２ａの広幅部２ｄが締付部材３に内部に引き込まれると、生体組織を十分に挟み込んだ状態になる。そこで、連結部材４の前端部４ｆとアーム２ａ，２ａの広幅部２ｄとの間の長さをＬ１とし、締付部材３の前端部３ｂと係合ウイング７に基端部１１ａとの間の長さ（本体部１６の長さ）をＬ２としたとき、Ｌ１＜Ｌ２にしたことにある。
【００２７】
このように構成されたクリップユニット１によれば、操作部材６によって連結部材４を手元側に引っ張ると、係合ウイング１１の後端部は導入管５の前端部５ａに当接する。このとき、クリップ２のループ部２ｂが締付部材３の内部に引き込まれるため、クリップ２のアーム２ａ，２ａが閉成し、生体組織をクリップ２のアーム２ａ，２ａ間に挟み込んだ状態となる。
この状態から、さらに操作部材６によって連結部材４を手元側に引っ張ると、連結部材４は締付部材３の本体部１６を摺動しながら締付部材３の係合ウイング７方向に引き込まれる。クリップ２のアーム２ａ，２ａの広幅部２ｄが締付部材３に内部に引き込まれて生体組織を十分に挟み込んだ状態になったときに本体部１６内で連結部材４の破断部４ａが破断され、クリップ２と締付部材３を含む連結部材４と操作部材６とが切り離される。
このとき、クリップ２のアーム２ａ，２ａの広幅部２ｄが締付部材３に内部に引き込まれる前に連結部材４の破断部４ａが係合ウイング７に対向すると、第１の実施形態と同様に、連結部材４は、その破断部４ａの連結点４ｂ’を支点として連結部材４の先端側４ｃが傾き、締付部材３の係合ウイング７をその内面側から外方側に押圧して連結部材４の破断部４ａに応力が集中する。
【００２８】
しかし、本体部１６の長さＬ２が連結部材４の前端部４ｆとアーム２ａ，２ａの広幅部２ｄとの間の長さをＬ１より長いため、クリップ２のアーム２ａ，２ａの広幅部２ｄが締付部材３に内部に引き込まれて生体組織を十分に挟み込んだ状態になる前に連結部材４の破断部４ａに応力が集中することはなく、生体組織を十分に挟み込んだ状態になったときに本体部１６内で連結部材４の破断部４ａが破断され、クリップ２と締付部材３を含む連結部材４と操作部材６とが切り離されることになる。
本実施形態によれば、締付部材３の係合ウイングに、第１の実施形態のような係合部１４を設ける必要がなく、構成の簡素化を図ることができる。
図４は第３の実施形態を示し、（ａ）はクリップユニット１の縦断側面図、（ｂ）はＢ-Ｂ線に沿う断面図であり、従来と同一構成部分は同一番号を付して説明を省略する。
本実施形態は、連結部材４の破断部４ａの切り込み方向と締付部材３に設けられた係合ウイング７の方向とが重ならないように周方向にずらしたことにある。
【００２９】
すなわち、連結部材４の破断部４ａの切り込み方向は、図４において上下方向に設けられており、締付部材３の一対の係合ウイング７は、図４において左右方向に設けられている。したがって、連結部材４の破断部４ａの切り込み方向と締付部材３の係合ウイング７の方向とは周方向に９０°ずれている。
【００３０】
このように構成されたクリップユニット１によれば、操作部材６によって連結部材４を手元側に引っ張ると、係合ウイング７の後端部は導入管５の前端部５ａに当接する。このとき、クリップ２のループ部２ｂが締付部材３の内部に引き込まれるため、クリップ２のアーム２ａ，２ａが閉成し、生体組織をクリップ２のアーム２ａ，２ａ間に挟み込んだ状態となる。
この状態から、さらに操作部材６によって連結部材４を手元側に引っ張ると、連結部材４は締付部材３の係合ウイング７方向に引き込まれるが、連結部材４の破断部４ａの切り込み方向と係合ウイング７とは周方向にずれているため、連結部材４が係合ウイング７の内面と摺動することはない。したがって、連結部材４が係合ウイング７を内側から外側方向に押圧することはなく、連結部材４は連結部材４の破断部４ａに応力が集中することはなく、係合ウイング７の設けられている部分を通過する。そして、生体組織を十分に挟み込んだ状態になったときに連結部材４の破断部４ａが破断され、クリップ２と締付部材３を含む連結部材４と操作部材６とが切り離されることになる。
本実施形態によれば、締付部材３の係合ウイングに、第１の実施形態のような係合部１４を設ける必要がなく、構成の簡素化を図ることができる。
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００３１】
【図１】本発明の第１の実施形態を示すクリップユニットの縦断側面図。
【図２】同実施形態を示し、（ａ）〜（ｄ）はクリップユニットの作用説明図。
【図３】本発明の第２の実施形態を示し、クリップユニットの縦断側面図。
【図４】本発明の第３の実施形態を示し、（ａ）はクリップユニットの縦断側面図、（ｂ）はＡ−Ａ線に沿う断面図。
【図５】従来の生体組織のクリップ装置を示す斜視図。
【図６】従来のクリップユニットを示し、（ａ）は一部断面した側面図、（ｂ）はＣ−Ｃ線に沿う断面図。
【図７】従来のクリップユニットを示し、（ａ）〜（ｄ）は作用説明図。
【図８】従来のクリップユニットを示し、（ａ）は一部断面した側面図、（ｂ）はＢ−Ｂ線に沿う断面図。
【符号の説明】
【００３２】
１…クリップユニット、２…クリップ、３…締付部材、４…連結部材、４ａ…破断部、５…導入管、６…操作部材、１１…係合ウイング（係合部材）、１４…係合部
【図１】
2008023257.tif 000003
【図２】
2008023257.tif 000004
【図３】
2008023257.tif 000005
【図４】
2008023257.tif 000006
【図５】
2008023257.tif 000007
【図６】
2008023257.tif 000008
【図７】
2008023257.tif 000009
【図８】
2008023257.tif 000010